(57)【特許請求の範囲】
【請求項１】
非透水性の遮水シートまたは防水コート層と、透水性を有する排水マットと、嵩比重が０．３〜０．６の多孔質連続間隙構造の発泡ガラスで形成された吸水性ボード材と、植物繊維を主成分とする有機物固形体と、植栽用培養土とを、下から順に積層状態に配置した緑化用構造体と、
前記緑化用構造体に組み込まれたラス金網補強体と、
前記緑化用構造体の周囲を前記吸水性ボード材で包囲して形成された周壁と、
を備えた緑化容器であって、
前記ラス金網補強体は、一定間隔をおいて上下に平行配置された複数のラス金網と、複数の前記ラス金網に沿って配設され、前記周壁を形成する前記吸水性ボード材に両端が螺着された複数の横固定部材と、前記横固定部材に上下端を固着することにより複数の前記ラス金網を固定する複数の縦固定部材と、を有し、
少なくとも前記有機物固形体と前記植栽用培養土との間に前記ラス金網を配置したことを特徴とする緑化容器。
【請求項２】
非透水性の遮水シートまたは防水コート層と、嵩比重が０．３〜０．６の多孔質連続間隙構造の発泡ガラスで形成された吸水性粗粒状体と、吸出し防止マットと、植物繊維を主成分とする有機物固形体と、植栽用培養土とを、下から順に積層状態に配置した緑化用構造体と、
前記緑化用構造体に組み込まれたラス金網補強体と、
前記緑化用構造体の周囲を、嵩比重が０．３〜０．６の多孔質連続間隙構造の発泡ガラスで形成された吸水性ボード材で包囲して形成された周壁と、
を備えた緑化容器であって、
前記ラス金網補強体は、一定間隔をおいて上下に平行配置された複数のラス金網と、複数の前記ラス金網に沿って配設され、前記周壁を形成する前記吸水性ボード材に両端が螺着された複数の横固定部材と、前記横固定部材に上下端を固着することにより複数の前記ラス金網を固定する複数の縦固定部材と、を有し、
少なくとも前記有機物固形体と前記植栽用培養土との間に前記ラス金網を配置したことを特徴とする緑化容器。
【請求項３】
非透水性の遮水シートまたは防水コート層と、透水性を有する排水マットと、吸出し防止マットと、植物繊維を主成分とする有機物固形体と、嵩比重０．３〜０．６の多孔質連続間隙構造の発泡ガラスで形成された吸水性粗粒状体を混入させた植栽用培養土とを、下から順に積層状態に配置した緑化用構造体と、
前記緑化用構造体に組み込まれたラス金網補強体と、
前記緑化用構造体の周囲を、嵩比重が０．３〜０．６の多孔質連続間隙構造の発泡ガラスで形成された吸水性ボード材で包囲して形成された周壁と、
を備えた緑化容器であって、
前記ラス金網補強体は、一定間隔をおいて上下に平行配置された複数のラス金網と、複数の前記ラス金網に沿って配設され、前記周壁を形成する前記吸水性ボード材に両端が螺着された複数の横固定部材と、前記横固定部材に上下端を固着することにより複数の前記ラス金網を固定する複数の縦固定部材と、を有し、
少なくとも前記有機物固形体と前記植栽用培養土との間に前記ラス金網を配置したことを特徴とする緑化容器。
【発明の詳細な説明】
【０００１】
【発明の属する技術分野】
本発明は、建築物の屋上などに芝生や樹木などの植物を植栽して緑化を図るための緑化用構造体を備えた緑化容器に関する。
【０００２】
【従来の技術】
近年、都市部においては、夏場のヒートアイランド現象や雨水処理が問題となっているが、その対策の一つとして、ビルなどの屋上に芝生や樹木などの植物を植栽して緑化を図る緑化システムの採用が増えている。
【０００３】
このような緑化システムを構築するため、従来より様々な技術が開発されているが、本発明に関連する先行技術として、図１０および図１１に示すような緑化用構造体がある。
【０００４】
図１０に示す緑化用構造体５０は、複数の凹部５２が形成された発泡ポリスチレン製の非透水性パネル５１と、凹部５２に嵌入された保水性、耐乾性および肥効性を有する有機質固形体５３と、これらの上に配置された植栽用の培養土５４とで構成され、培養土５４に芝５５や地被植物などが植栽される。
【０００５】
図１１に示す緑化用構造体６０は、下から順に、非透水性の遮水シート６１と、透水性を有する排水マット６２と、不織布で形成された防根シート６３と、通気性および保水性を有する合成樹脂製のベース材６４と、植栽用の培養土６５とが積層配置され、培養土６５に草本性多肉植物６６などが植栽される。
【０００６】
これらの緑化用構造体５０，６０を、ビルなどの屋上に設置することによって緑化システムを構築することができる。
【０００７】
【発明が解決しようとする課題】
図１０に示す緑化用構造体５０は、発泡ポリスチレン製の非透水性パネル５１が徐々に劣化していくので、耐久性に欠ける。また、発泡ポリスチレンは安易に廃棄、焼却できないので、使い終えた非透水性パネル５１の処分が問題となる。
【０００８】
図１１に示す緑化用構造体６０は、合成樹脂製のベース材６４の保水性が不十分であるため、降水量の少ない地域では、植栽された植物が十分に生育しないことがある。
【０００９】
本発明が解決しようとする課題は、適度な水分貯留機能と、植物の生育に適した水分供給機能を備え、耐久性に優れ、設置面に対して悪影響を及ぼすことのない、緑化用構造体を備えた緑化容器を提供することにある。
【００１０】
【課題を解決するための手段】
本発明の緑化容器を構成する緑化用構造体は、非透水性の遮水シートまたは防水コート層と、透水性を有する排水マットと、嵩比重が０．３〜０．６の多孔質連続間隙構造の発泡ガラスで形成されたボード材と、植栽用培養土とを、下から順に積層状態に配置したことを特徴とする。
【００１１】
このような構成とすることにより、遮水シートまたは防水コート層が緑化用構造体の設置面に対する水の浸入を防止し、排水マットが雨水を速やかに排水することで無用な滞留水を排除し、多孔質連続間隙構造の発泡ガラス製のボード材が雨水を適度に吸収するとともに長期間雨水を保持することで植物への水分供給源となるため、設置面に対して悪影響を及ぼすことなく、適度な水分貯留機能および植物の生育に適した水分供給機能を発揮する。また、吸水材、保水材として機能する発泡ガラス製のボード材はほとんど変質、劣化しないので耐久性にも優れている。
【００１２】
本発明に用いるボード材は、ガラス材を粉砕して微粉末化し、この粉末に炭酸カルシウム、炭化珪素およびホウ素を含む添加剤を加えて形成された混合物を一定厚さの層状に敷き詰め、特殊反応炉内に装入し、８００〜９５０℃に加熱することによって溶融、発泡、焼成してボード状の発泡ガラス材とする。この後、この特殊反応炉内において４００〜６５０℃の温度で０．１〜１０時間程度焼鈍した後、常温まで徐冷することによって多孔質構造を有するボード材が得られるものである。
【００１３】
また、遮水シートはタツノ化学株式会社製のマーカリアンシート（商品名）、防水コート層はアビスマテリアル株式会社製のアクアマックス（商品名）、排水マットは前田工繊株式会社製のエンドレンマット（商品名）、発泡ガラス製のボード材はミラクルソル協会製のミラクルボード（商品名）、植栽用培養土は株式会社グリーン有機資材製のクリーンソイル（商品名）などが好適である。
【００１４】
また、本発明の緑化容器を構成する緑化用構造体は、非透水性の遮水シートまたは防水コート層と、嵩比重が０．３〜０．６の連続間隙多孔質構造の発泡ガラスで形成された吸水性粗粒状体と、吸出し防止マットと、植栽用培養土とを、下から順に積層状態に配置した構成とすることができる。ここで、吸出し防止マットとは、ポリエステルを原料とし、ニードルパンチおよびバインダー加工した土木工事用不織布であり、一般河川護岸工事、造成工事などにおける吸出し防止材として使用されており、目詰まりし難く、フィルタ機能を備えている。比較的軽量で、取り扱いが容易であり、土圧で圧縮されても透水性は良好であり、耐食性、耐久性にも優れている。
【００１５】
このような構成とすることにより、非透水性の遮水シートまたは防水コート層が前述と同様に機能するとともに、発泡ガラス製の吸水性粗粒状体が、雨水を適度に吸収、保持するとともに、保持した水分を長期間にわたって植物へ供給し続けるため、設置面に対して悪影響を及ぼすことなく、適度な水分貯留機能と、植物の生育に適した水分供給機能を発揮する。また、粗粒状体はほとんど変質、劣化せず、吸出し防止マットが培養土の流失、粗粒状体層などへの培養土浸入を防止するので、耐久性にも優れている。
【００１６】
ここで、発泡ガラス製の吸水性粗粒状体としてはミラクルソル協会製のミラクルソル（商品名）が好適であり、吸出し防止マットとしては前田工繊株式会社製のサンドフ（商品名）が好適である。
【００１７】
また、本発明の緑化容器を構成する緑化用構造体は、非透水性の遮水シートまたは防水コート層と、透水性を有する排水マットと、吸出し防止マットと、嵩比重０．３〜０．６の多孔質連続間隙構造の発泡ガラスで形成された吸水性粗粒状体を混入させた植栽用培養土とを、下から順に積層状態に配置した構成とすることもできる。
【００１８】
このような構成とすることにより、非透水性の遮水シートまたは防水コート層が前述と同様に機能するので設置面に対して悪影響を及ぼすことがなく、発泡ガラス製の吸水性粗粒状体を含む植栽用培養土が、適度な水分貯留機能と、植物の生育に適した水分供給機能を発揮するので、植物の生育状態も良好である。また、培養土に含まれる発泡ガラス製の吸水性粗粒状体は、前述と同様、ほとんど変質、劣化しないので、耐久性も優れている。
【００１９】
さらに、前記吸水性ボード材または前記吸出し防止マットと、前記植栽用培養土との間に、植物繊維を主成分とする有機物固形体を配置した構成としてもよい。このような構成とすることにより、前記有機物固形体が保水材および施肥材として機能するので、さらに植物の生育に適した土壌環境が得られ、植栽された植物を順調に生育させることができる。なお、植物繊維を主成分とする有機物固形体としては、サトウキビの絞りカスであるバカスを原料として製造された、ネオジグラス社製のミラクルグリーン（商品名）などが好適である。このミラクルグリーンは植物の生育に必要な有機物を豊富に含み、土中で長期間にわたって徐々に分解しながら無機質の土壌に肥料分を与え続けることによって肥沃な土壌へ変化させる作用がある。また、保水性が高いので、乾燥期における植物の生育障害を緩和することができ、適切な養分構成を有しているので、種子の発芽、植物の生育を促進させることができる。
【００２０】
【発明の実施の形態】
図１は本発明の第１実施形態の緑化用構造体を示す斜視断面図、図２は図１に示す緑化用構造体を構成するボード材の斜視図、図３は図１に示す緑化用構造体を用いて緑化容器を構築する際に使用するラス金網補強体の斜視図、図４は図１に示す緑化用構造体を用いた緑化容器を示す縦断面図である。
【００２１】
図１に示すように、本実施形態の緑化用構造体１０は、非透水性の遮水シート１と、透水性を有する排水マット２と、多孔質連続間隙構造の発泡ガラス製のボード材３と、植物繊維を主成分とする有機物固形体４と、植栽用の培養土５とが下から順に積層配置されたものであり、培養土５に植物６が植栽されている。なお、遮水シート１の代わりに防水コート層を用いることもできる。
【００２２】
遮水シート１は、厚さ０．５〜２．０ｍｍの塩化ビニル（ＰＶＣ）製シートであり、土砂がコンクリート中に埋設しても破損せず、基質の凹凸にも良くなじみ、柔軟性、弾性に優れた破れにくいシート材である。老化性に優れているので長期使用にも耐え、耐薬品性にも優れているので、汚水、肥料などで腐食されない耐久性を備えている。耐寒性にも優れているので、寒冷地でも使用可能であり、熱融着や接着剤で互いに接続できるので施工性も良好である。
【００２３】
排水マット２は、硬くて弾力性のあるポリエステルモノフィラメントを素材としたものであり、空隙率が９０％以上であるため、透水性が良好である。熱成形加工によって製作されているため、耐圧性があり、耐寒性、耐微生物性、耐薬品性に優れている。軽量であるため、運搬、施工なども容易である。
【００２４】
ボード材３は、比重０．３〜０．６、吸水率１００〜１６０％であり、図２に示すように、幅Ｗ：０．５〜１．５ｍ、長さＬ：０．５〜１．５ｍ、厚さｔ：０．３〜０．１ｍを標準サイズとする多孔質連続間隙構造の発泡ガラス製板材であり、吸水性および保水性に優れている。ボード材３の一軸圧縮強度は２．４〜４．９ＭＰａ程度あるため、耐圧性が良好であり、断熱性、遮音性にも優れている。
【００２５】
有機物固形体４は、バカス（サトウキビ絞りカス）を主原料とする植物繊維を固形化したものであり、植物６の生育に必要な有機質を豊富に含有し、土中で長期間かけて徐々に分解するので、無機質の土壌に肥料分を与え続け、植物６の生育に最適な肥沃な土壌へと変化させることができる。また、吸水性、保水性も高いので、乾燥期における植物６の生育障害を防止するほか、植物６の発芽、生育を促進させるはたらきもある。
【００２６】
培養土５は、混合土または人工土壌であり、多量の栄養腐植有機物を使用することで、植物栄養の保持性、透水性、保肥力を高めている。また、高い塩基置換容量によって、特にカルシウム（石灰）、マグネシウム、マンガン、鉄などの肥料成分を吸着し、流亡を防ぐことができるため、植物６の生育に必要な有機物を長期間にわたって保持することができる。
【００２７】
次に図２〜４を参照して、図１に示す緑化用構造体１０を用いて形成された緑化容器について説明する。図４に示すように、緑化容器９は建築物７の屋上に設置され、図１の緑化用構造体１０に図３に示すラス金網補強体８を組み込み、その周囲を図２に示すボード材３で包囲した構造である。ラス金網補強体８は、一定間隔をおいて上下に平行配置された複数のラス金網Ｎを複数の縦固定部材１１によって固定し、各ラス金網Ｎに沿って配設された横固定部材１２に、縦固定部材１１の上下端を固着して形成されており、横固定部材１２の両端は、緑化容器９の周壁を形成するボード材３に螺着されている。
【００２８】
緑化容器９は、建築物７の屋上面に敷設された遮水シート１上に設置されているが、遮水シート１の代わりに、前記屋上面に防水コート層（図示せず）を形成し、その上に緑化容器９を配置することもできる。この場合、防水コート層をアビスマテリアル株式会社製のアクアマックス（商品名）と呼ばれる無溶剤型のコート材で形成した場合は、このコート材は塗布後３０分程度で硬化し、硬化後の収縮がなく、コート層表面が撥滴性を有したものとなる。防水コート層は、屋上面の汚れを除去すれば、乾燥面でも湿潤面でも施工できるので施工性が良好であり、工期短縮を図ることができる。また、コンクリート材に限らず、金属、木材、石材、プラスチックスなどに対しても施工することができ、施工後に有害物が溶出することもない。
【００２９】
緑化用構造体１０は、適度な水分貯留機能と、植物６の生育に適した水分供給機能を備え、ボード材３などがほとんど劣化、変質しないので耐久性に優れ、設置面である建築物７の屋上面に対して悪影響を及ぼすこともない。また、ボード材３は比重０．３〜０．６であるため、従来の緑化システムより軽量化が図られ、建築物７などに対する負担も軽減される。ボード材３は廃ガラスを用いて製造することができるので、資源の有効活用、廃棄物の削減にも寄与できる。
【００３０】
なお、本実施形態において、植物６は芝であるが、これに限定するものではないので、例えば、ツツジやサツキなどの低木を植栽することもできる。また、緑化容器９のサイズや形状も限定するものではないので、緑化容器９を大型化すれば、高木の植栽も可能である。
【００３１】
次に図５および図６を参照して、本発明の第２実施形態の緑化用構造体について説明する。なお、図５および図６において、第１実施形態の緑化用構造体１０と同様の機能、効果を発揮する部材については、図１〜図４と同じ符号を付して説明を省略する。
【００３２】
本実施形態の緑化用構造体２０では、下から順に、遮水シート（または防水コート層）１、吸水性粗粒状体２１と、吸出し防止マット２２と、有機物固形体４と、培養土５とを積層配置している。吸水性粗粒状体２１は、多孔質連続間隙構造の発泡ガラスで形成された外径２０〜５０ｍｍ程度の粗粒状体であり、比重が０．３〜０．６であるため、屋上緑化システムの軽量化を図ることができる。
【００３３】
また、吸出し防止マット２２は、厚さ３．０〜１０．０ｍｍ程度のポリエステル製不織布であり、本実施形態では、前田工繊株式会社製のサンドフ（商品名）を用いている。
【００３４】
緑化用構造体２０においては、吸水性粗粒状体２１が吸水材、保水材として機能するだけでなく、排水機能も発揮し、緑化用構造体１０における排水マット２の役割を果たすので、構造体全体の厚さを減らし、軽量化を図ることができ、省資源、省エネルギにも寄与できる。
【００３５】
次に図７および図８を参照して、本発明の第３実施形態の緑化用構造体について説明する。なお、図７および図８において、前述した緑化用構造体１０，２０と同様の機能、効果を発揮する部材については図１〜図６と同じ符号を付して説明を省略する。
【００３６】
本実施形態の緑化用構造体３０は、下から順に、遮水シート（または防水コート層）１と、排水マット２と、吸出し防止マット２２と、有機物固形体４と、吸水性粗粒状体２１を混入させた培養土５とを積層配置することによって形成している。
【００３７】
緑化用構造体３０においては、培養土５中に吸水性粗粒状体２１が存在するため、培養土層自体が常に適切な保水状態にあり、植物６の根に対して効率良く水分を供給することができるので、植物の成長を促進することができる。
【００３８】
次に図９を参照して、本発明の第４実施形態の緑化用構造体について説明する。なお、図９において、前述した緑化用構造体１０，２０，３０と同様の機能、効果を発揮する部材については図１〜図８と同じ符号を付して説明を省略する。
【００３９】
緑化用構造体４０は、下から順に、遮水シート（または防水コート層）１、ボード材３、吸出し防止マット２２、有機物固形体４、培養土５を積層配置して形成したものであり、全体的には、ボード材３で形成された有底箱体形状の緑化容器９ａ内に、下から順に、吸出し防止マット２２、有機物固形体４および培養土５を積層配置した構造となっている。緑化用構造体４０には、図３に示すラス金網補強体８の下方のラス金網Ｎをなくした形状のラス金網補強体８ａが組み込まれ、縦固定部材１１の下端部が、緑化容器９ａの底部を形成するボード材３に螺着されている。
【００４０】
緑化容器９ａは有底箱体形状であり、ラス金網補強体８ａの構成部材が緑化容器９ａの側部および底部を形成するボード材３に係止されているため、全体的な剛性、強度が高く、耐久性に優れている。
【００４１】
【発明の効果】
本発明により、以下に示す効果を奏する。
【００４２】
（１）非透水性の遮水シートまたは防水コート層と、透水性を有する排水マットと、嵩比重が０．３〜０．６の多孔質連続間隙構造の発泡ガラスで形成されたボード材と、植栽用培養土とを下から順に積層状態に配置した構成とすることにより、設置面に対して悪影響を及ぼすことなく、適度な水分貯留機能および植物の生育に適した水分供給機能が得られ、優れた耐久性を発揮する。
【００４３】
（２）非透水性の遮水シートまたは防水コート層と、嵩比重が０．３〜０．６の連続間隙多孔質構造の発泡ガラスで形成された吸水性粗粒状体と、吸出し防止マットと、植栽用培養土とを下から順に積層状態に配置した構成とすることにより、前述した効果に加え、構造体の軽量化を図ることができる。
【００４４】
（３）非透水性の遮水シートまたは防水コート層と、透水性を有する排水マットと、吸出し防止マットと、嵩比重０．３〜０．６の多孔質連続間隙構造の発泡ガラスで形成された吸水性粗粒状体を混入させた植栽用培養土とを下から順に積層状態に配置した構成とすることにより、前述した効果に加え、植栽された植物の生育を促進させることができる。
【００４５】
（４）吸水性ボード材または吸出し防止マットと植栽用培養土との間に、植物繊維を主成分とする有機物固形体を配置することにより、前述した効果に加え、播種された種子の発芽、植栽された植物の生育をさらに促進させることができる。
【図面の簡単な説明】
【図１】  第１実施形態の緑化用構造体を示す斜視断面図である。
【図２】  図１に示す緑化用構造体を構成するボード材の斜視図である。
【図３】  図１に示す緑化用構造体を用いて緑化容器を構築する際に使用するラス金網補強体の斜視図である。
【図４】  図１に示す緑化用構造体を用いて構築した緑化容器を示す縦断面図である。
【図５】  第２実施形態の緑化用構造体を示す斜視断面図である。
【図６】  図５に示す緑化用構造体を用いて構築した緑化容器を示す縦断面図である。
【図７】  第３実施形態の緑化用構造体を示す斜視断面図である。
【図８】  図７に示す緑化用構造体を用いて構築した緑化容器を示す縦断面図である。
【図９】  第４実施形態の緑化用構造体を用いて構築した緑化容器を示す縦断面図である。
【図１０】  従来の緑化用構造体を示す分解斜視図である。
【図１１】  従来の緑化用構造体を示す斜視断面図である。
【符号の説明】
１  遮水シート
２  排水マット
３，８  ボード材
４  有機物固形体
５  培養土
６  植物
７  建築物
８，８ａ  ラス金網補強体
９，９ａ  緑化容器
１０，２０，３０，４０  緑化用構造体
１１  縦固定部材
１２  横固定部材
２１  吸水性粗粒状体
２２  吸出し防止マット
Ｎ  ラス金網
【図１】
0003751214.tif 000002
【図２】
0003751214.tif 000003
【図３】
0003751214.tif 000004
【図４】
0003751214.tif 000005
【図５】
0003751214.tif 000006
【図６】
0003751214.tif 000007
【図７】
0003751214.tif 000008
【図８】
0003751214.tif 000009
【図９】
0003751214.tif 000010
【図１０】
0003751214.tif 000011
【図１１】
0003751214.tif 000012